(57)【要約】【課題】電子機器をより安全に取り付けることができるようにする。【解決手段】固定される第１の基板と、電子機器が取り付けられ、第１の基板に装着される第２の基板とが設けられる。第１の基板と第２の基板の一方には、一方の基板の辺から突出する突出部が設けられ、第１の基板と第２の基板の他方には、他方の基板から起立する起立部が設けられ、起立部には、第１の展開部と第２の展開部とが設けられる。第１の展開部には、他方の基板の面と平行な第１の端面と、第１の端面と他方の基板の面との間に形成された、突出部の厚さより広い第１の空間部とが設けられる。突出部が第２の展開部に当接する位置まで突出部が第１の空間部内に挿通され、第１の端面を突出部に当接させて、第２の基板を前記第１の基板に係止させる。本技術は監視カメラに適用することができる。【選択図】図５
2012178794.tif 000002
【特許請求の範囲】
【請求項１】
固定される第１の基板と、
電子機器が取り付けられ、前記第１の基板に装着される第２の基板と
を備え、
前記第１の基板と前記第２の基板の一方は、前記一方の基板の辺から突出する突出部を有し、
前記第１の基板と前記第２の基板の他方は、前記他方の基板から起立する起立部を有し、
前記起立部は、第１の展開部と第２の展開部とを有し、
前記第１の展開部は、
前記他方の基板の面と平行な第１の端面と、
前記第１の端面と前記他方の基板の面との間に形成された、前記突出部の厚さより広い第１の空間部と
を有し、
前記突出部が前記第２の展開部に当接する位置まで前記突出部を前記第１の空間部内に挿通し、前記第１の端面を前記突出部に当接させて、前記第２の基板を前記第１の基板に係止させる
電子機器取り付け構造。
【請求項２】
前記第２の展開部は、
前記他方の基板の面と平行な第２の端面と、
前記第２の端面と前記他方の基板の面との間に形成された、前記突出部の厚さより狭い第２の空間部と
を有する
請求項１に記載の電子機器取り付け構造。
【請求項３】
前記起立部は、さらに前記他方の基板から連続する中心部を有し、
前記第１の展開部と前記第２の展開部は、前記中心部から逆方向に展開して形成され、
前記第１の展開部と前記第２の展開部は、相互に対向するように、前記中心部から垂直に折り曲げられており、
前記中心部は、前記他方の基板から垂直に折り曲げられている
請求項２に記載の電子機器取り付け構造。
【請求項４】
前記第１の基板と前記第２の基板は平板状であり、
前記他方の基板の面には、前記起立部の近傍に、前記一方の基板の面に当接する突起が形成されている
請求項３に記載の電子機器取り付け構造。
【請求項５】
前記第１の基板と前記第２の基板には、両者をネジ止めするためのネジ止め部がそれぞれ形成されており、
前記第１の基板と前記第２の基板の前記ネジ止め部は、前記突出部の前記端面が前記第２の展開部の展開する面に当接する位置まで前記突出部を前記第１の空間部内に挿通した状態において対向する位置に形成されている
請求項４に記載の電子機器取り付け構造。
【請求項６】
前記ネジ止め部は、ネジを挿通する方向が、前記第１の基板または前記第２の基板の面に対して斜めに向かう方向になるように形成されている
請求項５に記載の電子機器取り付け構造。
【請求項７】
前記第１の基板と前記第２の基板は円板状に形成されており、
前記第１の基板には、ケーブルを通す孔が形成されており、
前記第２の基板を前記第１の基板から取り外したとき、前記第１の基板から前記第２の基板を吊り下げ部材により吊り下げるようになされており、
前記吊り下げ部材は、前記第２の基板を前記第１の基板に装着した状態において、前記ケーブルを通す孔を横切らない位置で、緩まない状態で、最も長くなる位置に取り付けられている
請求項６に記載の電子機器取り付け構造。
【請求項８】
前記第２の基板を前記第１の基板に装着した状態における前記吊り下げ部材の一方の端部と他方の端部を係止する係止部のうち、前記ケーブルを通す孔から離れた位置の係止部を前記第１の基板の係止部とし、前記ケーブルを通す孔に近い位置の係止部を前記第２の基板の係止部とする
請求項７に記載の電子機器取り付け構造。
【請求項９】
固定される第１の基板と、
電子機器が取り付けられ、前記第１の基板に装着される第２の基板と
を設け、
前記第１の基板と前記第２の基板の一方には、前記一方の基板の辺から突出する突出部を設け、
前記第１の基板と前記第２の基板の他方には、前記他方の基板から起立する起立部を設け、
前記起立部には、第１の展開部と第２の展開部とを設け、
前記第１の展開部には、
前記他方の基板の面と平行な第１の端面と、
前記第１の端面と前記他方の基板の面との間に形成された、前記突出部の厚さより広い第１の空間部と
を設け、
前記突出部が前記第２の展開部に当接する位置まで前記突出部を前記第１の空間部内に挿通し、前記第１の端面を前記突出部に当接させて、前記第２の基板を前記第１の基板に係止させる
電子機器取り付け方法。
【発明の詳細な説明】
【技術分野】
【０００１】
本技術は電子機器取り付け構造および方法に関し、特に電子機器をより安全に取り付けることができるようにした電子機器取り付け構造および方法に関する。
【背景技術】
【０００２】
照明器具、監視用カメラなどの電子機器は、空間の全体を照明したり、監視する必要があるので、天井に取り付けられることが多い。例えば特許文献１には、照明器具を天井に取り付ける構造が示されている。
【０００３】
特許文献１の技術においては、固定部材が天井に固定され、その固定部材に対して円板状取り付け部材が取り付けられる。円板状取り付け部材には、照明器具が取り付けられている。
【０００４】
固定部材は円筒状の形状をしており、その円筒面の側壁に、Ｌ字状の取り付け部材支持突起が形成される。一方、円板状取り付け部材には係止突片が形成される。そして係止突片をＬ字状の取り付け部材支持突起に係合することで、照明器具が取り付けられている円板状取り付け部材が固定部材に取り付けられる。
【先行技術文献】
【特許文献】
【０００５】
【特許文献１】特開２００８−４４５８号公報
【発明の概要】
【発明が解決しようとする課題】
【０００６】
しかしながら、形状がＬ字状なので、強度を上げることが困難である。
【０００７】
本技術はこのような状況に鑑みてなされたものであり、電子機器をより安全に取り付けることができるようにするものである。
【課題を解決するための手段】
【０００８】
本技術の一側面は、固定される第１の基板と、電子機器が取り付けられ、前記第１の基板に装着される第２の基板とを備え、前記第１の基板と前記第２の基板の一方は、前記一方の基板の辺から突出する突出部を有し、前記第１の基板と前記第２の基板の他方は、前記他方の基板から起立する起立部を有し、前記起立部は、第１の展開部と第２の展開部とを有し、前記第１の展開部は、前記他方の基板の面と平行な第１の端面と、前記第１の端面と前記他方の基板の面との間に形成された、前記突出部の厚さより広い第１の空間部とを有し、前記突出部が前記第２の展開部に当接する位置まで前記突出部を前記第１の空間部内に挿通し、前記第１の端面を前記突出部に当接させて、前記第２の基板を前記第１の基板に係止させる電子機器取り付け構造である。
【０００９】
前記第２の展開部は、前記他方の基板の面と平行な第２の端面と、前記第２の端面と前記他方の基板の面との間に形成された、前記突出部の厚さより狭い第２の空間部とを有することができる。
【００１０】
前記起立部は、さらに前記他方の基板から連続する中心部を有し、前記第１の展開部と前記第２の展開部は、前記中心部から逆方向に展開して形成され、前記第１の展開部と前記第２の展開部は、相互に対向するように、前記中心部から垂直に折り曲げられており、前記中心部は、前記他方の基板から垂直に折り曲げられていることができる。
【００１１】
前記第１の基板と前記第２の基板は平板状とし、前記他方の基板の面には、前記起立部の近傍に、前記一方の基板の面に当接する突起を形成することができる。
【００１２】
前記第１の基板と前記第２の基板には、両者をネジ止めするためのネジ止め部をそれぞれ形成し、前記第１の基板と前記第２の基板の前記ネジ止め部は、前記突出部の前記端面が前記第２の展開部の展開する面に当接する位置まで前記突出部を前記第１の空間部内に挿通した状態において対向する位置に形成することができる。
【００１３】
前記ネジ止め部は、ネジを挿通する方向が、前記第１の基板または前記第２の基板の面に対して斜めに向かう方向になるように形成することができる。
【００１４】
前記第１の基板と前記第２の基板は円板状に形成し、前記第１の基板には、ケーブルを通す孔を形成し、前記第２の基板を前記第１の基板から取り外したとき、前記第１の基板から前記第２の基板を吊り下げ部材により吊り下げるようにし、前記吊り下げ部材は、前記第２の基板を前記第１の基板に装着した状態において、前記ケーブルを通す孔を横切らない位置で、緩まない状態で、最も長くなる位置に取り付けられているようにすることができる。
【００１５】
前記第２の基板を前記第１の基板に装着した状態における前記吊り下げ部材の一方の端部と他方の端部を係止する係止部のうち、前記ケーブルを通す孔から離れた位置の係止部を前記第１の基板の係止部とし、前記ケーブルを通す孔に近い位置の係止部を前記第２の基板の係止部とすることができる。
【００１６】
本技術の一側面はまた、固定される第１の基板と、電子機器が取り付けられ、前記第１の基板に装着される第２の基板とを設け、前記第１の基板と前記第２の基板の一方には、前記一方の基板の辺から突出する突出部を設け、前記第１の基板と前記第２の基板の他方には、前記他方の基板から起立する起立部を設け、前記起立部には、第１の展開部と第２の展開部とを設け、前記第１の展開部には、前記他方の基板の面と平行な第１の端面と、前記第１の端面と前記他方の基板の面との間に形成された、前記突出部の厚さより広い第１の空間部とを設け、前記突出部が前記第２の展開部に当接する位置まで前記突出部を前記第１の空間部内に挿通し、前記第１の端面を前記突出部に当接させて、前記第２の基板を前記第１の基板に係止させる電子機器取り付け方法である。
【００１７】
本技術の一側面においては、固定される第１の基板と、電子機器が取り付けられ、第１の基板に装着される第２の基板とが設けられる。第１の基板と第２の基板の一方には、一方の基板の辺から突出する突出部が設けられ、第１の基板と第２の基板の他方には、他方の基板から起立する起立部が設けられ、起立部には、第１の展開部と第２の展開部とが設けられる。第１の展開部には、他方の基板の面と平行な第１の端面と、第１の端面と他方の基板の面との間に形成された、突出部の厚さより広い第１の空間部とが設けられる。突出部が第２の展開部に当接する位置まで突出部が第１の空間部内に挿通され、第１の端面を突出部に当接させて、第２の基板を前記第１の基板に係止させる。
【発明の効果】
【００１８】
以上のように、本技術の一側面によれば、電子機器をより安全に取り付けることができる。
【図面の簡単な説明】
【００１９】
【図１】第１の基板の構成を示す平面図である。
【図２】電子機器が取り付けられる第２の基板の構成を示す平面図である。
【図３】第１の基板に第２の基板を装着する途中の状態を説明する図である。
【図４】第１の基板に第２の基板を装着した状態を説明する図である。
【図５】第１の基板に第２の基板を装着する動作を説明する図である。
【図６】第１の基板に第２の基板を装着した状態を説明する図である。
【図７】第１の基板の突出部の構成を示す図である。
【図８】第２の基板の起立部の構成を示す図である。
【図９】起立部を突出部に挿入する途中の状態を説明する図である。
【図１０】起立部を突出部に挿入した状態を説明する図である。
【図１１】起立部を形成する方法を説明する図である。
【図１２】起立部を形成する方法を説明する図である。
【図１３】起立部を形成する方法を説明する図である。
【図１４】突起を形成する方法を説明する図である。
【図１５】ネジ止め部の組み合わせを説明する図である。
【図１６】ネジ止め部の傾斜を説明する図である。
【図１７】ネジ止め部の構成を説明する図である。
【図１８】ネジ止め部の傾斜を説明する図である。
【図１９】円板状の基板の構成を示す平面図である。
【図２０】円板状の第１の基板に第２の基板を装着する途中の状態を説明する図である。
【図２１】円板状の第１の基板に第２の基板を装着した状態を説明する図である。
【図２２】第１の基板の固定部材への取り付けを説明する図である。
【図２３】第２の基板の監視用カメラへの取り付けを説明する図である。
【図２４】監視用カメラを取り付けた第２の基板の第１の基板への取り付けを説明する図である。
【図２５】吊り下げ部材を説明する図である。
【図２６】吊り下げ部材の取り付け位置を説明する図である。
【発明を実施するための形態】
【００２０】
以下、本技術を実施するための形態（以下、実施の形態と称する）について説明する。なお、説明は以下の順序で行う。
１．第１の実施の形態（基板が矩形の場合）
２．第２の実施の形態（基板が円板状である場合）
【００２１】
＜１．第１の実施の形態＞
［基板が矩形の場合］
【００２２】
図１は、第１の基板１の構成を示す平面図である。第１の基板１は、天井等の固定面に固定される基板である。第１の基板１は長辺と短辺とからなる矩形の平板で構成されている。第１の基板１には、図１における長辺である上辺と下辺に、突出部２がそれぞれ２個ずつ、合計４個形成されている。突出部２の数は、３個以上であればいくつでもよい。それぞれの辺における突出部２の数は、同じである必要はない。
【００２３】
また、第１の基板１には、図１の下辺に、ネジ止め部３が形成されている。
【００２４】
図２は、電子機器が取り付けられる第２の基板の構成を示す平面図である。第２の基板１１は、第１の基板１に対して取り付けられる。また第２の基板１１には、電子機器が取り付けられるが、図２には示されていない。第２の基板１１は長辺と短辺とからなる矩形の平板で構成されている。第２の基板１１には、図２における長辺である上辺と下辺に、起立部１２がそれぞれ２個ずつ、合計４個形成されている。起立部１２の数は、第１の基板１の突出部２の数に対応している。また起立部１２の形成位置も、第１の基板１の突出部２の位置に対応している。
【００２５】
また、第２の基板１１には、起立部１２に対応して、起立部１２の近傍（図２の実施の形態の場合、起立部１２の内側）に、突起１３が形成されている。突起１３は、小径の円柱状、または円錐台状のダボにより構成することができる。さらに第２の基板１１の図２の下辺に、ネジ止め部１４が形成されている。このネジ止め部１４の位置は、第１の基板１のネジ止め部３の位置に対応して形成される。
【００２６】
なお、第１の基板１と第２の基板１１の大きさについては、図５を参照して後述する。
【００２７】
図３は、第１の基板１に第２の基板１１を装着する途中の状態を説明する図である。図３Ａは、平面から見た状態を表し、図３Ｂは、側面から見た状態を表している。また、図４は、第１の基板１に第２の基板１１を装着した状態を説明する図である。図４Ａは、平面から見た状態を表し、図４Ｂは、側面から見た状態を表している。
【００２８】
第２の基板１１を第１の基板１に取り付けるとき、図３に示されるように、第２の基板１１が第１の基板１の方向に押し上げられる。このとき、第２の基板１１の突起１３が第１の基板１の下の面１Ａに当接する。図面上、第１の基板１と第２の基板１１は、平滑な面として表されているが、各種の凹凸を形成したり、部品を取り付けることも可能である。ただし、突起１３は、それらより高く形成される。これにより第２の基板１１の第１の基板１との接触箇所は突起１３だけとなり、接触面積が小さくなる。その結果、第２の基板１１を第１の基板１に対して当接させた状態で移動することが容易となる。図３に示される例では、第２の基板１１が図３Ａに矢印で示される方向、つまり左方向に移動される。
【００２９】
なお、図３Ｂのネジ止め部３とネジ止め部１４には、それぞれに形成されているネジを挿通する孔２１，２２が示されている。
【００３０】
第２の基板１１を所定の位置まで左方向に移動すると、図４に示されるように、第２の基板１１の起立部１２が、第１の基板１の突出部２に対応する位置に達する。この状態でネジ止め部１４はネジ止め部３と重なり、それぞれの孔２１，２２に１本のネジ（後述する図１５を参照）を挿通することができる状態になる。
【００３１】
［第２の基板１１の移動操作］
【００３２】
第２の基板１１を第１の基板１の所定の位置まで移動させる操作を、図５乃至図１０を参照してさらに詳しく説明する。
【００３３】
図５は、第１の基板１に第２の基板１１を装着する動作を説明する図であり、図６は、第１の基板１に第２の基板１１を装着した状態を説明する図である。
【００３４】
図５に示されるように、第２の基板１１の起立部１２は、中心部３１、中心部３１から図中右方向に展開する展開部３２、中心部３１から図中左方向（つまり、展開部３２と反対の方向）に展開する展開部３３を有している（後述する図１１参照）。展開部３３の第２の基板１１の面１１Ａに近い端面３３Ａと、面１１Ａとの間の空間部３４の間隔（つまり高さＨ１）は、第１の基板１の厚さＤより広く形成されている。これに対して、展開部３２の第２の基板１１の面１１Ａに近い端面３２Ａと、面１１Ａとの間の空間部３５の間隔（つまり図６Ｂと図８Ａに示される高さＨ２）は、第１の基板１の厚さＤより狭く形成されている。なお、端面とは、平板の厚さを形成する面を意味するものとする。
【００３５】
図３において第２の基板１１を矢印方向（つまり左方向）に移動することは、図５において第２の基板１１を矢印方向（つまり左下方向）に移動することに対応する。
【００３６】
操作時、第２の基板１１は、その長辺が第１の基板１の長辺と平行になるように配置される。第２の基板１１を移動させると、第１の基板１の突出部２の厚さＤは、第２の基板１１の空間部３４の間隔（つまり高さＨ１）より小さいので、第２の基板１１の起立部１２の展開部３３の端面３３Ａは、突出部２の上側の面２Ｂに接触しない。その結果、展開部３３が突出部２に当接せずに、第２の基板１１はさらに移動する。
【００３７】
しかし、起立部１２の展開部３２の空間部３５の間隔（つまり図６Ｂと図８Ａに示される高さＨ２）は、第１の基板１の突出部２の厚さＤより小さい。その結果、図６に示されるように、起立部１２の展開部３２の内側の面３２Ｂが、第１の基板１の突出部２の端面２Ａに当接した位置で、第２の基板１１の移動は停止される。つまりそれ以上の長辺方向への移動が制限され、第１の基板１に対する第２の基板１１の長辺方向の位置が所定の位置に規制される。
【００３８】
その状態で第２の基板１１の上方向、すなわち第１の基板１の方向への押し上げが解除されると、図６Ｂに示されるように、第２の基板１１は自重により下降し、第２の基板１１の起立部１２の展開部３３の端面３３Ａが、第１の基板１の突出部２の上側の面２Ｂに当接する。このようにして第２の基板１１が第１の基板１に係止される。このとき第２の基板１１の突起１３の先端は、第１の基板１の下側の面１Ａから離れた状態になる。
【００３９】
起立部１２は、その展開部３３の端面３３Ａで突出部２と当接している。その結果、展開部３３は、第２の基板１１からの重力が作用する方向に対しては、その高さＨ３に対応する厚さを有することになり、より強度を確保することができる。その結果、より重い電子機器を取り付けることが可能になる。
【００４０】
図１と図５に示されているように、第１の基板１の一方の長辺の突出部２の先端から、他方の長辺の対応する位置の突出部２の先端までの距離をＬ１とする。また図２と図５に示されているように、第２の基板１１の一方の長辺の起立部１２の中心部３１の内側の面３１Ａから、他方の長辺の対応する位置の起立部１２の中心部３１の内側の面３１Ａまでの距離をＬ１１とする。距離Ｌ１は距離Ｌ１１より短い。これにより第１の基板１の突出部２が、第２の基板１１の起立部１２の空間部３４を通過することが可能になる。
【００４１】
また、第２の基板１１の長辺の起立部１２の展開部３２の、第１の基板１の長辺の端面１Ｂと対向する端面３２Ｃから、第２の基板１１の反対側の長辺の対応する位置にある起立部１２の展開部３２の端面３２Ｃまでの距離をＬ１２とする。距離Ｌ１は距離Ｌ１２より長い。これにより、図６に示されるように、展開部３２の面３２Ｂが突出部２の端面２Ａに当接し、第２の基板１１はそれ以上長辺方向に移動できない。
【００４２】
また、突出部２の長さをＬ２、展開部３２の展開の長さ（展開部３３の展開の長さに等しい）をＬ１３（＝Ｌ１１−Ｌ１２）とするとき、長さＬ２は長さＬ１３と等しいか、または若干長い。これにより、展開部３２，３３が第１の基板１に当接しないので、第２の基板１１を図５において左下方向に移動することが可能になる。
【００４３】
図３と図５に示されるように、第２の基板１１を第１の基板１に対して左方向に移動させることで、起立部１２の空間部３４に突出部２が挿通される。従って、図３に示される４個の起立部１２は、それぞれの空間部３４がいずれも図中左側に位置するように形成される。
【００４４】
なお、突出部２を第２の基板１１に形成し、起立部１２を第１の基板１に形成することも可能である。
【００４５】
以上の操作を図７乃至図１０を参照してさらに説明する。図７は、第１の基板１の突出部２の構成を示す図であり、図７Ａは第１の基板１を側面から見た状態を表し、図７Ｂは第１の基板１を平面から見た状態を表している。図８は、第２の基板１１の起立部１２の構成を示す図であり、図８Ａは第２の基板１１を側面から見た状態を表し、図８Ｂは第２の基板１１を平面から見た状態を表している。図９は、起立部１２を突出部２に挿入する途中の状態を説明する図であり、図９Ａは第１の基板１と第２の基板１１を側面から見た状態を表し、図９Ｂは第１の基板１と第２の基板１１を平面から見た状態を表している。図１０は、起立部１２を突出部２に挿入した状態を説明する図であり、図１０Ａは第１の基板１と第２の基板１１を側面から見た状態を表し、図１０Ｂは第１の基板１と第２の基板１１を平面から見た状態を表している。
【００４６】
図７に示されるように、第１の基板１においては、側面（つまり端面）から突出部２が突出している。また図８に示されるように、第２の基板１１においては、起立部１２が第２の基板１１の平面から略垂直に起立している。
【００４７】
図９Ａに示されるように、第２の基板１１が第１の基板１の方向に押し上げられ、突起１３の先端が第１の基板１の下側の面１Ａに当接され、第２の基板１１と第１の基板１との厚さ方向（すなわち上下方向）の距離が規制される。第２の基板１１は、図９Ａの矢印の方向、すなわち起立部１２の空間部３４が第１の基板１の突出部２に向かう方向に移動される。空間部３４の間隔（すなわち高さＨ１）は突出部２の厚さＤより広いので、展開部３３の端面３３Ａが突出部２の上側の面２Ｂの上を通過する。
【００４８】
一方、展開部３２の空間部３５の間隔（すなわち高さＨ２）は、突出部２の厚さＤより小さいので、遂には展開部３２の内側の面３２Ｂが突出部２の端面２Ａに当接し、第２の基板１１の第１の基板１に対する図９における左方向（すなわち水平方向）の位置が規制される。
【００４９】
図６Ａにも示されているように、突起１３は起立部１２の近傍に配置されている。その結果、第２の基板１１が第１の基板１の方向への押し上げ操作により変形したとしても、起立部１２と突出部２との図９における上下方向（第１の基板１と第２の基板１１の厚さ方向）の位置が正確に規制され、空間部３４の内部に突出部２を正確に挿入することができる。
【００５０】
展開部３２の内側の面３２Ｂが突出部２の端面２Ａに当接した後、第２の基板１１への押し上げが解除されると、図１０Ａに示されるように、第２の基板１１は自重により下がり、起立部１２の展開部３３の端面３３Ａが第１の基板１の突出部２の上側の面２Ｂに当接する。このとき突起１３の先端は第１の基板１の面１Ａから離れる。
【００５１】
［起立部１２の形成方法］
【００５２】
次に起立部１２と突起１３の形成方法について、図１１乃至図１４を参照して説明する。図１１乃至図１３は、起立部１２を形成する方法を説明する図であり、図１４は、突起１３を形成する方法を説明する図である。図１１Ａは第２の基板１１を上側の端面側から見た構成を表し、図１１Ｂは第２の基板１１を平面から見た構成を表し、図１１Ｃは第２の基板１１を右側の端面側から見た構成を表す。図１２Ａは第２の基板１１を上側の端面側から見た構成を表し、図１２Ｂは第２の基板１１を平面から見た構成を表し、図１２Ｃは第２の基板１１を右側の端面側から見た構成を表す。図１３Ａは第２の基板１１を上側の端面側から見た構成を表し、図１３Ｂは第２の基板１１を平面から見た構成を表し、図１３Ｃは第２の基板１１を右側の端面側から見た構成を表す。図１４Ａは第２の基板１１を上側の端面側から見た構成を表し、図１４Ｂは第２の基板１１を平面から見た構成を表し、図１４Ｃは第２の基板１１を右側の端面側から見た構成を表し、図１４Ｄは第２の基板１１を左側の端面側から見た構成を表す。
【００５３】
最初に、所定の大きさの矩形の平板の金属の板である例えば鋼板が用意される。第１の基板１と第２の基板１１の材質は同じでよい。そしてその金属の板の所定の位置に、図１１に示されるように、起立部１２が切り出されて形成される。起立部１２は略Ｔ字形状とされ、第２の基板から連続する中心部３１と、中心部３１から図中右方向に展開する幅（図１１Ａにおける上下方向の高さ）が広い展開部３２と、逆の左方向に展開する幅が狭い展開部３３とを有している。展開部３３の下側には、展開部３３の端面３３Ａと第２の基板１１の長辺の端面１１Ｂとの間隔ｄ１（図５、図６Ｂ、図８Ａにおける高さＨ１に対応する）が、第１の基板１の突出部２の厚さＤより大きくなるように、空間部３４が形成される。展開部３２の下側には、展開部３２の端面３２Ａと第２の基板１１の端面１１Ｂとの間隔ｄ２（図６Ｂ、図８Ａにおける高さＨ２に対応する）が、第１の基板１の突出部２の厚さＤより小さくなるように、空間部３５が形成される。
【００５４】
次に展開部３２は図１１Ｂの破線に沿って、矢印で示されるように、紙面の上方向に略垂直に折り曲げられる。同様に、展開部３３も図１１Ｂの破線に沿って、矢印で示されるように、紙面の上方向に略垂直に折り曲げられる。これにより図１２Ａに示されるように、展開部３２と展開部３３が対向し、展開部３２、中心部３１，および展開部３３により断面がコ字状の形状が形成される。
【００５５】
次に、図１２Ｂに矢印で示されるように、中心部３１は破線に沿って、紙面の上方向に垂直に折り曲げられる。これにより、図１３に示されるように、第２の基板１１から起立した起立部１２が形成される。
【００５６】
さらに図１４に示されるように、第２の基板１１の面１１Ａ上であって、起立部１２の近傍の、展開部３２と展開部３３の略中間の位置に、突起１３が形成される。
【００５７】
なお、突起１３の形成は、図１１乃至図１３に示されるいずれの工程で行ってもよい。
【００５８】
また、起立部１２と突起１３は、図２に示されるように、第２の基板１１の合計４箇所に形成される。
【００５９】
［ネジ止め部］
【００６０】
次に図１５を参照して、ネジ止め部３，１４について説明する。図１５は、ネジ止め部３，１４の組み合わせを説明する図である。第２の基板１１が第１の基板１に対して、図３、図５、または図９に示される位置にあるとき、第１の基板１のネジ止め部３と第２の基板１１のネジ止め部１４は、図１５Ａに示される位置にある。すなわち、ネジ止め部３，１４はまだ対応する位置に配置されていない。第２の基板１１が第１の基板１に対して矢印が示す方向に移動され、図４、図６、または図１０に示される位置に達すると、図１５Ｂに示されるように、ネジ止め部３，１４が重なる。そこで、ネジ５１を孔２２，２１に挿通し、ネジ止めすることで、第２の基板１１を第１の基板１に対して定められた位置に固定することができる。
【００６１】
図６に示されるように、展開部３３の端面３３Ａが突出部２の上側の面２Ｂに当接することで、第２の基板１１の殆どの重量が第１の基板１により支持されている場合、ネジ止めの機能は第２の基板１１の横方向の移動だけを規制するものとなる。そこでこの場合、図１５Ａに示されるように、第２の基板１１のネジ止め部１４の孔２１は縦方向（第２の基板１１の厚さ方向）に長い長孔とされる。これにより、縦方向にバラツキがあっても、確実に２枚の基板を固定することができる。
【００６２】
ネジ止め部３の面３Ａは、第１の基板１の面１Ａに対して、垂直ではなく、傾斜するように形成されている。同様にネジ止め部１４の面１４Ａは、第２の基板１１の面１１Ａに対して、垂直ではなく、傾斜するように形成されている。つまり、ネジ５１を挿通する方向が、第１の基板１が固定される天井などの面、すなわち面１Ａ，１１Ａに対して斜めに向かう方向になるように形成されている。これによりネジ５１を回すドライバ（図示せず）が天井などに当たってネジ５１を回し難くなるようなことがなくなり、ネジ止めの操作が容易となる。
【００６３】
ネジ止めの操作性について、図１６を参照してさらに説明する。図１６は、ネジ止め部の傾斜を説明する図である。図１６は、図１５とは異なるネジ止め部の構成を表している。図１６の例においては、第１の基板１の一部が面７１により立ち上げられ、面７２により面１Ａと平行にされ、面７３により鋭角に折り曲げられて、面７３にネジ止め部７４が形成されている。この第１の基板１は天井６１に固定されている。
【００６４】
第２の基板１１には、面７４と平行になるように、ネジ止め部７５が基板に対して斜めに形成されている。すなわち、ネジ止め部７４，７５は、ネジ５１を挿通する方向が、第１の基板１が固定される天井６１に対して斜めに向かう方向になるように形成されている。これによりネジ５１を回すドライバ（図示せず）が天井６１に当たってネジ５１を回し難くなるようなことがなくなり、ネジ止めの操作が容易となる。
【００６５】
図１７は、ネジ止め部のさらに他の構成を説明する図であり、図１８は、ネジ止め部の傾斜を説明する図である。図１７の例においては、第１の基板１の一部を斜め下方向に折り曲げてネジ止め部８１が形成されている。第２の基板１１においても、第２の基板１１の一部を斜め下方向に折り曲げてネジ止め部９１が形成されている。ネジ止め部８１とネジ止め部９１は平行になっている。ネジ止め部８１にはネジを挿通するための孔８２が、ネジ止め部９１にはネジを挿通するための孔９２が、それぞれ形成されている。
【００６６】
第１の基板１のネジ止め部８１と第２の基板１１のネジ止め部９１は、図１７Ａに示される位置にあるとき、まだ対応する位置に配置されていない。第２の基板１１が第１の基板１に対して矢印で示される方向に所定の位置（図４、図６、または図１０に示される位置）まで移動されると、図１７Ｂに示されるように、ネジ止め部８１，９１が重なる。そこで、図１８に示されるように、ネジ５１を孔８２，９２に挿通し、ネジ止めすることで、第２の基板１１を第１の基板１に対して定められた位置に固定することができる。この場合にも、ネジ５１を挿通する方向が、第１の基板１が固定される天井６１に対して斜めに向かう方向になるようにネジ止め部８１，９１が形成されている。これによりネジ５１を回すドライバ（図示せず）が天井６１に当たってネジ５１を回し難くなるようなことがなくなり、ネジ止めの操作が容易となる。
【００６７】
また、この例の場合、図１８に示されるように、第２の基板１１の突起１３が第１の基板１の下面に当接した状態で２つの基板が固定される。従って、この場合には、ネジ止めによっても第２の基板１１の重量が支持されるので、孔８２は長孔ではなく、円孔とされる。
【００６８】
＜２．第２の実施の形態＞
［基板が円板状の場合］
【００６９】
次に、第１の基板１と第２の基板１１を、円板状とした場合の実施の形態について説明する。図１９は、円板状の基板の構成を示す平面図であり、図１９Ａは第１の基板１０１の構成を表し、図１９Ｂは、第２の基板１１１の構成を表している。
【００７０】
この実施の形態においては、図１９Ａに示されるように、第１の基板１０１が円板状に形成され、その外周に突出部１０２が、１２０度の間隔で３カ所に設けられている。また、第１の基板１０１の外周にはネジ止め部１０３が、２００度の間隔で、３つの突出部１０２と線対称になるように、２カ所に設けられている。さらに第１の基板１０１の、図中下側の２つの突出部１０２の間に、楕円形のケールを通す孔１０４が形成されている。この孔１０４には、電子機器に対して電力、あるいは電気信号を授受するケーブル（図示せず）が挿通される。
【００７１】
なお、第１の基板１０１、突出部１０２およびネジ止め部１０３は、それぞれ、図１の実施の形態における第１の基板１、突出部２およびネジ止め部３に対応する。
【００７２】
また図１９Ｂに示されるように、第２の基板１１１も円板状に形成され、その外周に起立部１１２が、１２０度の間隔で３カ所に設けられている。各起立部１１２の近傍には、突起１１３が形成されている。第２の基板１１１の外周にはネジ止め部１１４が、２００度の間隔で、３つの起立部１１２と線対称になるように、２カ所に設けられている。
【００７３】
なお、第２の基板１１１、起立部１１２、突起１１３およびネジ止め部１１４は、それぞれ、図１の実施の形態における第２の基板１１、起立部１２、突起１３およびネジ止め部１４に対応する。
【００７４】
［第２の基板１１１の移動操作］
【００７５】
次に、第２の基板１１１を第１の基板１０１に取り付ける操作について、図２０と図２１を参照して説明する。図２０は、円板状の第１の基板１０１に第２の基板１１１を装着する途中の状態を説明する図であり、図２０Ａは平面から見た状態を表し、図２０Ｂは側面から見た状態を表している。図２１は、円板状の第１の基板１０１に第２の基板１１１を装着した状態を説明する図であり、図２１Ａは平面から見た状態を表し、図２１Ｂは側面から見た状態を表している。
【００７６】
第２の基板１１１は、その外周が第１の基板１０１の外周と同心円状になるように配置され、突起１１３の先端が第１の基板１０１の面に当接するように押し上げられる。そして第２の基板１１１は、図２０Ａにおいて矢印で示される方向に回転される。所定の位置まで回転すると、図６に示される場合と同様の状態になる。すなわち、起立部１１２の移動方向に対して後方の展開部の内側の面（図６の展開部３２の面３２Ｂに対応する面）が、突出部１０２の端面（図５の突出部２の端面２Ａに対応する面）に当接して停止する。これにより第２の基板１１１と第１の基板１０１は、図２１に示されるような状態になる。その状態で、第２の基板１１１の押し上げが解除されると、第２の基板１１１が自重により低下し、突起１３が第１の基板１０１の面１０１Ａから離れ、起立部１１２の展開部の端面（図６の展開部３３の端面３３Ａに対応する面）が突出部１０２の面（図５の突出部２の面２Ｂに対応する面）に当接して、第２の基板１１１が第１の基板１０１に支持される。このようにして、図１０に示される場合と同様の状態になる。
【００７７】
この状態において第２の基板１１１のネジ止め部１１４は、第１の基板１０１のネジ止め部１０３に対向する位置にある。そこで両者がネジ止めされることで、第２の基板１１１が第１の基板１０１に取り付けられる。
【００７８】
次に、電子機器を取り付ける場合について、図２２乃至図２６を参照してさらに説明する。図２２は、第１の基板１０１の固定部材１５１への取り付けを説明する図であり、図２３は、第２の基板１１１への監視用カメラ１６１の取り付けを説明する図である。図２４は、監視用カメラ１６１を取り付けた第２の基板１１１の第１の基板１０１への取り付けを説明する図である。図２５は、吊り下げ部材１８１を説明する図である。図２６は、吊り下げ部材１８１の取り付け位置を説明する図であり、図２６Ａは、第２の基板１１１を第１の基板１０１に取り付ける途中の状態を表し、図２６Ｂは、第２の基板１１１を第１の基板１０１に取り付けた状態を表している。
【００７９】
図２２において固定部材１５１は、天井など、電子機器を取り付ける対象に取り付けられている部材である。図２２Ａに示されるように、第１の基板１０１が図中矢印方向に移動され、固定部材１５１に押し当てられる。これにより、図２２Ｂに示されるように、第１の基板１０１が固定部材１５１に取り付けられる。さらに図示せぬネジなどにより第１の基板１０１が固定部材１５１に固定される。
【００８０】
図２３においては、取り付ける電子機器はドームカメラ、ＰＴＺカメラなどよりなる監視用カメラ１６１とされている。図２３Ａに示されるように、第２の基板１１１が監視用カメラ１６１の方向に移動され、監視用カメラ１６１に押し当てられる。このとき起立部１１２が起立する方向が外側（つまり、監視用カメラ１６１の反対側）とされる。これにより、図２３Ｂに示されるように、第２の基板１１１が監視用カメラ１６１に取り付けられる。さらに図示せぬネジなどにより第２の基板１１１が監視用カメラ１６１に固定される。
【００８１】
次に図２４Ａに示されるように、監視用カメラ１６１が取り付けられた第２の基板１１１が、固定部材１５１に取り付けられている第１の基板１０１に押し当てられる。これにより、図２４Ｂに示されるように、第２の基板１１１の突起１１３が第１の基板１０１の面に当接する。その状態で、図２４Ｂの矢印で示される方向に、監視用カメラ１６１が回転される。これにより、図２１を参照して説明した場合と同様に、監視用カメラ１６１が取り付けられている第２の基板１１１が、天井の固定部材１５１に取り付けられている第１の基板１０１に取り付けられる。そして上述した場合と同様に、ネジ止め部１１４，１０３（後述する図２６参照）がネジ止めされる。
【００８２】
監視用カメラ１６１は、修理などのため、必要に応じて天井から取り外す必要がある。そのため、図２５に示されるように、第１の基板１０１と第２の基板１１１は、ワイヤ、紐などからなる吊り下げ部材１８１により連結される。これにより、監視用カメラ１６１を固定部材１５１から取り外したとき、図２５に示されるように、監視用カメラ１６１を吊り下げ部材１８１により支持することができる。
【００８３】
図２６に示されるように、吊り下げ部１８１の一端は、第１の基板１０１の係止部２０１に係止され、他端は、第２の基板１１１の係止部２１１に係止される。係止部２０１は、第１の基板１０１の下側の面１０１Ａ（第２の基板１１１と対向する面）に固定され、係止部２１１は、第２の基板１１１の上側の面１１１Ａ（第１の基板１０１と対向する面、すなわち突起１１３が形成されている面）に固定されている。第２の基板１１１を第１の基板１０１に取り付けた状態において、係止部２０１は係止部２１１に比べてケーブルを通す孔１０４から遠い位置にある。
【００８４】
図２６Ａに示されるように、第２の基板１１１は第１の基板１０１に対して押し上げられる。第２の基板１１１は、さらに矢印で示される方向に回転されて、図２６Ｂに示されるように、起立部１１２が突出部１０２に係止されることで、第１の基板１０１に取り付けられる。吊り下げ部１８１は、操作性の観点から、できるだけ長いことが望ましい。また、吊り下げ部１８１がケーブルを通す孔１０４を横切る状態になると、吊り下げ部１８１とケーブルが接触し、いずれかが損傷するおそれがある。
【００８５】
そこで本技術では、図２６Ｂに示されるように、第２の基板１１１が第１の基板１０１に対して取り付けられた状態で、吊り下げ部材１８１が弛まずに、直線的に張った状態になるように、係止部２０１，２１１の位置と吊り下げ部１８１の長さが決定されている。さらに、吊り下げ部１８１は、直線的に張った状態で、ケーブルを通す孔１０４を横切らず、かつ最も長くなるように、係止部２０１，２１１の位置が決定されている。すなわち、係止部２０１，２１１は、できるだけ外周側で、両者を結ぶ直線が円の中心の最も近くを通る位置で、孔１０４を通過しない位置とされる。
【００８６】
また、図２６Ａの２点鎖線は、第２の基板１１１が第１の基板１０１に取り付けられたときの状態を表し、破線は、まだ取り付け途中の状態を表している。この実施の形態においては、第２の基板１１１を第１の基板１０１に取り付けるとき、並びに、取り外すとき、吊り下げ部材１８１がケーブルを通す孔１０４を横切らない。すなわち、係止部２０１，２１１は、第２の基板１１１を第１の基板１０１から取り外すために移動するときの移動方向が、吊り下げ部材１８１がケーブルを通す孔１０４から遠ざかる方向とされる。
【００８７】
以上においては、電子機器として、監視対象の動画像を撮影する監視用カメラを取り付ける場合を例としたが、本技術は、この他、照明、モニタ、スピーカなどの電子機器を取り付ける場合に適用が可能である。また取り付けられる位置も天井に限られない。
【００８８】
なお、本技術の実施の形態は、上述した実施の形態に限定されるものではなく、本技術の要旨を逸脱しない範囲において種々の変更が可能である。
【００８９】
なお、本技術は以下のような構成も取ることができる。
（１）
固定される第１の基板と、
電子機器が取り付けられ、前記第１の基板に装着される第２の基板と
を備え、
前記第１の基板と前記第２の基板の一方は、前記一方の基板の辺から突出する突出部を有し、
前記第１の基板と前記第２の基板の他方は、前記他方の基板から起立する起立部を有し、
前記起立部は、第１の展開部と第２の展開部とを有し、
前記第１の展開部は、
前記他方の基板の面と平行な第１の端面と、
前記第１の端面と前記他方の基板の面との間に形成された、前記突出部の厚さより広い第１の空間部と
を有し、
前記突出部が前記第２の展開部に当接する位置まで前記突出部を前記第１の空間部内に挿通し、前記第１の端面を前記突出部に当接させて、前記第２の基板を前記第１の基板に係止させる
電子機器取り付け構造。
（２）
前記第２の展開部は、
前記他方の基板の面と平行な第２の端面と、
前記第２の端面と前記他方の基板の面との間に形成された、前記突出部の厚さより狭い第２の空間部と
を有する
前記（１）に記載の電子機器取り付け構造。
（３）
前記起立部は、さらに前記他方の基板から連続する中心部を有し、
前記第１の展開部と前記第２の展開部は、前記中心部から逆方向に展開して形成され、
前記第１の展開部と前記第２の展開部は、相互に対向するように、前記中心部から垂直に折り曲げられており、
前記中心部は、前記他方の基板から垂直に折り曲げられている
前記（１）または（２）に記載の電子機器取り付け構造。
（４）
前記第１の基板と前記第２の基板は平板状であり、
前記他方の基板の面には、前記起立部の近傍に、前記一方の基板の面に当接する突起が形成されている
前記（１）乃至（３）のいずれかに記載の電子機器取り付け構造。
（５）
前記第１の基板と前記第２の基板には、両者をネジ止めするためのネジ止め部がそれぞれ形成されており、
前記第１の基板と前記第２の基板の前記ネジ止め部は、前記突出部の前記端面が前記第２の展開部の展開する面に当接する位置まで前記突出部を前記第１の空間部内に挿通した状態において対向する位置に形成されている
前記（１）乃至（４）のいずれかに記載の電子機器取り付け構造。
（６）
前記ネジ止め部は、ネジを挿通する方向が、前記第１の基板または前記第２の基板の面に対して斜めに向かう方向になるように形成されている
前記（５）に記載の電子機器取り付け構造。
（７）
前記第１の基板と前記第２の基板は円板状に形成されており、
前記第１の基板には、ケーブルを通す孔が形成されており、
前記第２の基板を前記第１の基板から取り外したとき、前記第１の基板から前記第２の基板を吊り下げ部材により吊り下げるようになされており、
前記吊り下げ部材は、前記第２の基板を前記第１の基板に装着した状態において、前記ケーブルを通す孔を横切らない位置で、緩まない状態で、最も長くなる位置に取り付けられている
前記（１）乃至（６）のいずれかに記載の電子機器取り付け構造。
（８）
前記第２の基板を前記第１の基板に装着した状態における前記吊り下げ部材の一方の端部と他方の端部を係止する係止部のうち、前記ケーブルを通す孔から離れた位置の係止部を前記第１の基板の係止部とし、前記ケーブルを通す孔に近い位置の係止部を前記第２の基板の係止部とする
前記（７）に記載の電子機器取り付け構造。
（９）
固定される第１の基板と、
電子機器が取り付けられ、前記第１の基板に装着される第２の基板と
を設け、
前記第１の基板と前記第２の基板の一方には、前記一方の基板の辺から突出する突出部を設け、
前記第１の基板と前記第２の基板の他方には、前記他方の基板から起立する起立部を設け、
前記起立部には、第１の展開部と第２の展開部とを設け、
前記第１の展開部には、
前記他方の基板の面と平行な第１の端面と、
前記第１の端面と前記他方の基板の面との間に形成された、前記突出部の厚さより広い第１の空間部と
を設け、
前記突出部が前記第２の展開部に当接する位置まで前記突出部を前記第１の空間部内に挿通し、前記第１の端面を前記突出部に当接させて、前記第２の基板を前記第１の基板に係止させる
電子機器取り付け方法。
【符号の説明】
【００９０】
１  第１の基板，  ２  突出部，  ３  ネジ止め部，  １１  第２の基板，  １２  起立部，  １３  突起，  １４  ネジ止め部，  ３１  中心部，  ３２，３３  展開部，  ３４，３５  空間部，  １０１  第１の基板，  １０２  突出部，  １０３  にネジ止め部，  １１１  第１の基板，  １１２  起立部，  １１３  突起，  １１４  ネジ止め部，  １８１  吊り下げ部
【図１】
2012178794.tif 000003
【図２】
2012178794.tif 000004
【図３】
2012178794.tif 000005
【図４】
2012178794.tif 000006
【図５】
2012178794.tif 000007
【図６】
2012178794.tif 000008
【図７】
2012178794.tif 000009
【図８】
2012178794.tif 000010
【図９】
2012178794.tif 000011
【図１０】
2012178794.tif 000012
【図１１】
2012178794.tif 000013
【図１２】
2012178794.tif 000014
【図１３】
2012178794.tif 000015
【図１４】
2012178794.tif 000016
【図１５】
2012178794.tif 000017
【図１６】
2012178794.tif 000018
【図１７】
2012178794.tif 000019
【図１８】
2012178794.tif 000020
【図１９】
2012178794.tif 000021
【図２０】
2012178794.tif 000022
【図２１】
2012178794.tif 000023
【図２２】
2012178794.tif 000024
【図２３】
2012178794.tif 000025
【図２４】
2012178794.tif 000026
【図２５】
2012178794.tif 000027
【図２６】
2012178794.tif 000028